(57)【要約】【課題】  効率的にティーバッティング可能なバッティングティーを提供する。【解決手段】  本実施形態に係るバッティングティー１は、基台と、基台に立設された支柱と、前記支柱上部に、前記支柱の長手方向に直交して挿通された回転軸と、前記回転軸に回転自在に固定された、柱状の回転柱体と、前記回転柱体の上端に設けられた、ボールを載置する載置部と、前記回転柱体の下端と前記支柱下部とを連結する弾性体と、前記弾性体の張力を変更する張力変更部とを有し、前記張力変更部は、前記弾性体の端部を、前記支柱下部の複数の位置で固定する固定部材であり、前記張力変更部は、前記弾性体の端部が固定された前記固定部材の位置に応じて前記弾性体の張力を変更する。【選択図】図１
2019122721.tif 000002
【特許請求の範囲】
【請求項１】
基台と、
基台に立設された支柱と、
前記支柱上部に、前記支柱の長手方向に直交して挿通された回転軸と、
前記回転軸に回転自在に固定された、柱状の回転柱体と、
前記回転柱体の上端に設けられた、ボールを載置する載置部と、
前記回転柱体の下端と前記支柱下部とを連結する弾性体と、
前記弾性体の張力を変更する張力変更部と
を有する
バッティングティー。
【請求項２】
前記張力変更部は、前記弾性体の端部を、前記支柱下部の複数の位置で固定する固定部材であり、
前記張力変更部は、前記弾性体の端部が固定された前記固定部材の位置に応じて前記弾性体の張力を変更する
請求項１に記載のバッティングティー。
【請求項３】
前記固定部材は、前記支柱下部から突出した、前記支柱下部の長手方向に、リング状の部材が連続した形状である
請求項２に記載のバッティングティー。
【請求項４】
前記張力変更部は、前記弾性体の長手方向に複数設けられた、前記支柱下部と連結する留め具であり、
前記張力変更部は、前記支柱下部と連結する前記留め具の位置に応じて、前記弾性体にかかる張力を変更する。
請求項１に記載のバッティングティー。
【請求項５】
前記張力変更部は、弾性力が等しく、長さが異なる複数の前記弾性体であり、
前記張力変更部は、前記支柱下部に連結する前記弾性体を変更することにより、前記弾性体にかかる張力を変更する
請求項１に記載のバッティングティー。
【請求項６】
前記載置部と前記回転柱体とを接続する接続部
をさらに有し、
前記接続部は、弾性を有し、
前記接続部は、前記載置部に加えられた衝撃方向に屈曲した後、弾性復帰する
請求項１に記載のバッティングティー。
【発明の詳細な説明】
【技術分野】
【０００１】
本発明は、バッティングティーに関するものである。
【背景技術】
【０００２】
例えば、特許文献１には、主軸中空管１３から分岐した中空管４に、プラスチィック中実ボール１、球受ゴム２の軟らかさで打撃衝撃を吸収し、さらにゴムベルト９を連結することによって衝撃が吸収されボールが元の位置にもどるように形成し、上下移動は主軸中空管調整ビス１４により簡単に移動されるようにし、かつ携帯出来るため、屋内・外の狭い空間で手軽に練習、指導ができる構成を有する打撃フォーム矯正器について開示されている。
【先行技術文献】
【特許文献】
【０００３】
【特許文献１】特開２００３−５２８７８号公報
【発明の概要】
【発明が解決しようとする課題】
【０００４】
本発明は、効率的な打撃を可能にするティーバッティングを提供することを目的とする。
【課題を解決するための手段】
【０００５】
本発明に係るバッティングティーは、基台と、基台に立設された支柱と、前記支柱上部に、前記支柱の長手方向に直交して挿通された回転軸と、前記回転軸に回転自在に固定された、柱状の回転柱体と、前記回転柱体の上端に設けられた、ボールを載置する載置部と、前記回転柱体の下端と前記支柱下部とを連結する弾性体と、前記弾性体の張力を変更する張力変更部とを有する。
【０００６】
好適には、前記張力変更部は、前記弾性体の端部を、前記支柱下部の複数の位置で固定する固定部材であり、前記張力変更部は、前記弾性体の端部が固定された前記固定部材の位置に応じて前記弾性体の張力を変更する。
【０００７】
好適には、前記固定部材は、前記支柱下部から突出した、前記支柱下部の長手方向に、リング状の部材が連続した形状である。
【０００８】
好適には、前記張力変更部は、前記弾性体の長手方向に複数設けられた、前記支柱下部と連結する留め具であり、前記張力変更部は、前記支柱下部と連結する前記留め具の位置に応じて、前記弾性体にかかる張力を変更する。
【０００９】
好適には、前記張力変更部は、弾性力が一定で、長さが異なる複数の前記弾性体であり、前記張力変更部は、前記支柱下部に連結する前記弾性体を変更することにより、前記弾性体にかかる張力を変更する。
【００１０】
好適には、前記載置部と前記回転柱体とを接続する接続部をさらに有し、前記接続部は、弾性を有し、前記接続部は、前記載置部に加えられた衝撃方向に屈曲した後、弾性復帰する。
【発明の効果】
【００１１】
本発明によれば、効率的なティーバッティングを可能にすることができる。
【図面の簡単な説明】
【００１２】
【図１】実施例におけるバッティングティー１の構成を説明する斜視図である。
【図２】バッティングティー１の使用方法（Ｓ１０）を説明するフローチャートである。
【図３】打撃によるバッティングティー１の動作を例示する図である。
【図４】変形例における弾性体２０を例示する図である。
【発明を実施するための形態】
【００１３】
以下、本発明に係る実施形態を、図面を参照して説明する。ただし、本発明の範囲は、図示例に限定されるものではない。
図１は、実施例におけるバッティングティー１の構成を説明する斜視図である。
図１に例示するように、バッティングティー１は、基台１０、支柱１２、回転軸１４、回転柱体１６、載置部１８、弾性体２０、及び接続部２２を含む。
(基台１０)
基台１０は、バッティングティー１全体を支えるものであり、基台１０は、地面にバッティングティー１を安定した状態で設置することができる板状の台である。基台１０の形状は、略四角形であり、具体的には、四角形の各頂点が切り取られ、角が丸みを帯びている。また、基台１０は、バッティングティー１を持ち運ぶ際のハンドル１００を有している。具体的には、基台１０は、端部に開口が設けられ、使用者は、開口に手を入れてハンドル１００を掴み、基台１０を持ち上げることができる。開口の大きさは、少なくとも、親指以外の指４本が入る大きさであり、基台１０がバッティングティー１を支える安定性を妨げる大きさでなければ特に限定されない。開口の形成位置は、ハンドル１００を掴めるよう、図１のハンドル１００の長さL及び幅Ｗを同時に掴める程度の位置に開口が形成されることが望ましい。
【００１４】
(支柱１２)
支柱１２は、金属製の円筒状部材であり、基台１０に立設されている。支柱１２は、直径の異なる支柱上部１２０及び支柱下部１２２が接続して形成される。具体的には、支柱上部１２０の直径は、支柱下部の直径よりも小さく、支柱１２は、支柱下部１２２に支柱上部１２０の一部が挿入されて構成されている。
支柱上部１２０には、支柱１２の長手方向に直交して挿通された回転軸１４を有する。具体的には、支柱上部１２０には、回転柱体１６が回転自在に固定されている。より具体的には、支柱上部１２０には、回転軸１４を挿通する軸孔１２４が設けられ、軸孔１２４へ挿通された回転軸１４は、回転柱体１６に設けられている軸孔１４０にも挿通されている。回転軸１４の両端は、ナット等により締められ、支柱上部１２０に回転柱体１６が固定されている。
【００１５】
支柱下部１２２は、弾性体２０の張力を変更する張力変更部を有する。具体的には、張力変更部は、弾性体２０の端部を、支柱下部１２２の複数の位置で固定する固定部材１２６である。固定部材１２６は、支柱下部１２２の側面から突出した、リング状の部材である連結部１２８が支柱下部１２２の長手方向に連続した形状である。連結部１２８の形状は、弾性体２０の一端を連結するための留め具が掛けられる程度の孔を有するものであれば、特に限定されない。固定部材１２６は、支柱１２と同様に、金属製であり、弾性体２０の張力を受けても変形及び破損しない強度を備える。
【００１６】
（弾性体２０）
弾性体２０は、支柱下部１２２と回転柱体１６の下端とを連結する部材であり、弾性を有する。具体的には、弾性体２０は、ゴムベルトであり、伸縮する。弾性体２０は、回転柱体１６と支柱下部１２２とを連結しており、弾性体２０には一定の張力がかかっているため、回転柱体１６の回転運動の範囲を制限する。固定部材１２６において、弾性体２０の下端の連結先である連結部１２８を変更することにより、弾性体２０にかかる張力を変更可能である。具体的には、支柱下部１２２のより下方に形成されている連結部１２８に連結するほど弾性体２０にかかる張力は大きくなり、支柱下部１２２のより上方に形成されている連結部１２８に連結するほど弾性体２０にかかる張力は小さくなる。
【００１７】
弾性体２０の両端には、連結部材である留め具、例えばフック２００を有している。回転柱体１６に連結されるフックをフック２００a、連結部１２８に連結されるフックをフック２００ｂとする。フック２００を回転柱体１６の端部及び固定部材１２６に掛けることで、弾性体２０に一定の張力がかかり、回転柱体１６及び載置部１８を直立に静止した状態に保つことができる。連結部１２８に掛けられるフック２００ｂは連結部１２８から着脱可能であり、連結先の連結部１２８を変更することで弾性体２０にかかる張力を変更できる。
【００１８】
(回転柱体１６)
回転柱体１６は、金属製の柱状部材であり、支柱上部１２０に回転自在に固定されている。具体的には、回転柱体１６は、軸孔１６０（不図示）を有し、支柱上部１２０に挿通された回転軸１４が挿通されることで支柱上部１２０に固定される。固定された回転柱体１６は、回転軸１４を中心に回転する。
回転柱体１６は、端部に結合部１６２を有しており、弾性体２０のフック２００aが掛けられる。具体的には、結合部１６２は、回転柱体１６の端部に設けられたボルト孔にボルトが挿通し、ナットで固定されて形成される。この結合部１６２のボルトに弾性体２０のフック２００aが掛けられる。回転柱体１６は、弾性体２０の伸長可能な範囲において回転軸１４を中心に回転する。
【００１９】
(載置部１８)
載置部１８は、回転柱体１６の上端に設けられた、ボール、例えば、野球ボールの硬式球及び軟式球を載置する台である。具体的には、載置部１８は、円錐台の直径の小さい面を底面とした形状であり、上面は、直径７０ｍｍ〜７５ｍｍのボールを載せた際に静止できる程度の面積を有する。また、載置部１８の素材は、樹脂またはゴムであり、バットがボールを撃った際の衝撃を吸収する。これにより、バットが破損するリスクを低減することができる。
【００２０】
（接続部２２）
接続部２２は、載置部２０と回転柱体１６とを接続する部材である。接続部２２は、弾性を有する。具体的には、接続部２２は、円柱状の樹脂またはゴムであり、バットがボールを撃った際の衝撃を吸収する。より具体的には、接続部２２は、バットにより受けた衝撃の方向に屈曲し、その後元の形に復帰する。
【００２１】
次に、バッティングティー１の使用方法を説明する
ステップ１００（Ｓ１００）において、使用者は、弾性体２０のフック２００ｂを固定部材１２６に掛ける。
ステップ１０５（Ｓ１０５）において、使用者は、ボールを載置部１８に載せ静止した状態とする。
ステップ１１０（Ｓ１１０）において、使用者は、載置したボールをバットで打撃する。
ステップ１１５（Ｓ１１５）において、図３に例示するように、打撃の衝撃により、接続部２２は、打撃方向に屈曲し、回転柱体１６は、回転軸１４を中心に、弾性体２０が伸長する範囲まで回転する。
ステップ１２０（Ｓ１２０）において、接続部２２及び弾性体２０は、弾性復帰し、元の位置へと戻る。
ステップ１２５（Ｓ１２５）において、弾性体２０の張力を大きくしたい場合は、Ｓ１３０に移行し、それ以外の場合はＳ１３５に移行する。
ステップ１３０（Ｓ１３０）において、弾性体２０のフック２００ｂを支柱下部１２２のより下方に形成されている連結部１２８に掛ける。
ステップ１３５（Ｓ１３５）において、弾性体２０の張力を小さくしたい場合は、Ｓ１４０に移行し、それ以外の場合はＳ１４５に移行する。
ステップ１４０（Ｓ１４０）において、弾性体２０のフック２００ｂを支柱下部１２２のより上方に形成されている連結部１２８に掛ける。
ステップ１４５（Ｓ１４５）において、打撃を続ける場合は、Ｓ１０５に移行し、再度ボールを載置し、繰り返す。それ以外の場合は、終了する。
【００２２】
以上説明したように、バッティングティー１は、連結部１２８を支柱下部１２２に複数有することにより、使用者の打撃力の大きさに応じて、弾性体２０の張力を変更可能である。また、張力を大きくするほど、打撃後の弾性体２０が元の位置に戻ろうとする力がより大きいため、次の一打までの間隔を短くすることができる。さらに、載置部１８及び接続部２２は、弾性を有するため、バットの打撃による衝撃を吸収し、バットの耐用年数を伸ばすことが可能である。
【００２３】
（変形例１）
上記実施形態では、張力変更部が複数の連結部１２８を有する固定部材１２６であり、弾性体２０の連結先である連結部１２８を変更することにより、弾性体２０の張力を変更していたが、これに限定されず、例えば、図４（ａ）に例示するように、弾性体２０の長手方向に複数のフック２００ｂを有し、連結部１２８と連結するフック２００ｂの位置に応じて、弾性体２０にかかる張力を変更してもよい。
弾性体２０において、フック２００aに、より近い位置に設けられたフック２００ｂを、連結部１２８に掛けることで弾性体２０にかかる張力は大きくなる。また、フック２００aに、より遠い位置に設けられたフック２００ｂを連結部１２８に掛けることで弾性体２０にかかる張力は小さくなる。この場合、バッティングティー１に形成された連結部１２８は一つでもよいし、複数の連結部１２８が形成され、複数のフック２００ｂ及び複数の連結部１２８により弾性体２０の張力を変更してもよい。
【００２４】
（変形例２）
さらに、張力変更部は、弾性力は等しいが、長さの異なる複数の弾性体２０であってもよく、これらのうち、選択した一つの弾性体２０を取り付けることにより、弾性体２０の張力を変更してもよい。
図４（ｂ）に例示するように、例えば、弾性体２０a、弾性体２０ｂ、弾性体２０ｃは、同一の弾性力を有するが、長さが異なり、弾性体２０aよりも弾性体２０ｂが長く、弾性体２０ｂよりも弾性体２０ｃが長い。連結部１２８は一つであるが、取り付ける弾性体２０の長さが変われば、弾性体２０にかかる張力は異なる。具体的には、弾性体２０が長いほど弾性体にかかる張力は小さくなり、弾性体２０が短くなると張力は、大きくなる。したがって、連結部１２８が複数形成されていなくても、使用者の打撃力に応じた弾性体２０の張力を変更可能である。
【符号の説明】
【００２５】
１          バッティングティー
１０        基台
１２        支柱
１４        回転軸
１６        回転柱体
１８        載置部
２０        弾性体
２２        接続部
１００      ハンドル
１２０      支柱上部
１２２      支柱下部
１２６      固定部材
１２８      連結部
１６２      結合部
２００      フック
【図１】
2019122721.tif 000003
【図２】
2019122721.tif 000004
【図３】
2019122721.tif 000005
【図４】
2019122721.tif 000006